(57)【要約】【課題】接続する装置を判定するためのピンを新たに作成する必要がなく低コストとなるドーターボードを提供する。【解決手段】従来側マザーボード１１が搭載されるとともに従来側コネクタ１２を有する従来装置１０の従来側コネクタ１２に接続され、実装されるドーターボード３０において、従来側コネクタ１２に接続するドーター側コネクタ３１と、従来側コネクタ１２の複数のピンの内、信号を出力しないピンに接続されているドーター側コネクタ３１のピンに接続されたプルアップ抵抗部３３と、プルアップ抵抗部３３に接続され入力がＨ論理か否かを判定する装置判定部３２と、装置判定部３２の判定にてＨ論理と判定されると動作する第１機能部と、装置判定部３２の判定にてＨ論理以外と判定されると動作する第２機能部とを備える。【選択図】図１
2015153332.tif 000002
【特許請求の範囲】
【請求項１】
マザーボードが搭載されるとともにマザー側コネクタを有する装置の前記マザー側コネクタに接続され、実装されるドーターボードにおいて、
前記マザー側コネクタに接続するドーター側コネクタと、
前記マザー側コネクタの複数のピンの内、信号を出力しない前記ピンに接続されている前記ドーター側コネクタのピンに接続されたプルアップ抵抗部と、
前記プルアップ抵抗部に接続され入力がＨ論理か否かを判定する装置判定部と、
前記装置判定部の判定にてＨ論理と判定されると動作する第１機能部と、
前記装置判定部の判定にてＨ論理以外と判定されると動作する第２機能部とを備えたドーターボード。
【請求項２】
マザーボードが搭載されるとともにマザー側コネクタを有する装置の前記マザー側コネクタに接続され、実装されるドーターボードにおいて、
前記マザー側コネクタに接続するドーター側コネクタと、
前記マザー側コネクタの複数のピンの内、信号を出力しない複数の前記ピンにそれぞれ接続されている前記ドーター側コネクタの複数のピンにそれぞれ接続されたプルアップ抵抗部と、
複数の前記プルアップ抵抗部に接続され複数の前記プルアップ抵抗部のいずれの入力がＨ論理か否かを判定する装置判定部と、
前記装置判定部の判定にて複数の前記プルアップ抵抗部のＨ論理か否かの組み合わせに応じて機能する複数の機能部とを備えたドーターボード。
【請求項３】
前記装置判定部は、Ｈ論理以外の判定において、Ｌ論理、または、Ｈ論理とＬ論理との中間論理であると判定する請求項１または請求項２に記載のドーターボード。
【請求項４】
マザーボードが搭載されるとともにマザー側コネクタを有する装置の前記マザー側コネクタに接続され、実装されるドーターボードにおいて、
前記マザー側コネクタに接続するドーター側コネクタと、
前記マザー側コネクタの複数のピンの内、信号を出力しない前記ピンに接続されている前記ドーター側コネクタのピンに接続されたプルアップ抵抗部と、
前記プルアップ抵抗部に接続され入力がＨ論理か、Ｌ論理か、または、Ｈ論理とＬ論理との中間論理であるかを判定する装置判定部と、
前記装置判定部の判定にてＨ論理と判定されると動作する第１機能部と、
前記装置判定部の判定にてＬ論理と判定されると動作する第２機能部と、
前記装置判定部の判定にてＨ論理とＬ論理との中間論理と判定されると動作する第３機能部とを備えたドーターボード。
【請求項５】
マザーボードが搭載されるとともにマザー側コネクタを有する装置に、前記マザー側コネクタにドーター側コネクタに接続して機能するドーターボードを実装するドーターボード実装方法において、
前記装置は、前記マザー側コネクタの複数のピンの内、信号を出力しない前記ピンには何も接続されていない第１装置、または、プルダウン部が接続されている第２装置のいずれかであり、
前記ドーターボードは、前記マザー側コネクタの複数のピンの内、信号を出力しない前記ピンに接続されている前記ドーター側コネクタのピンに接続されたプルアップ抵抗部と、
前記プルアップ抵抗部に接続され入力がＨ論理か否かを判定する装置判定部と、
前記装置判定部の判定にてＨ論理と判定されると動作する第１機能部と、
前記装置判定部の判定にてＨ論理以外と判定されると動作する第２機能部とを備え、
前記ドーターボードの前記ドーター側コネクタを前記マザー側コネクタに接続して、前記装置判定部がＨ論理と判定すると接続された前記装置が前記第１装置であると判定して前記第１機能部を動作させ、または、
前記装置判定部がＨ論理以外であると判定すると接続された前記装置が前記第２装置であると判定して前記第２機能部を動作させるドーターボード実装方法。
【請求項６】
前記プルダウン部は、抵抗無プルダウン部か、またはプルダウン抵抗部かのいずれかが設置され、
前記装置判定部のＨ論理以外の判定は、前記抵抗無プルダウン部の場合にはＬ論理であると判定し、または、
前記プルダウン抵抗部の場合には、Ｈ論理とＬ論理との間の中間論理であると判定する請求項５に記載のドーターボード実装方法。
【発明の詳細な説明】
【技術分野】
【０００１】
この発明は、判定するためのピンを新たに基板に備えることなく判定することができるドーターボードおよびドーターボード実装方法に関するものである。
【背景技術】
【０００２】
従来、プラント制御装置などにおいて、従来のある装置の上位互換の後継装置が開発されることがある。この時、後継装置の基板を従来装置にも実装可能とし、実装されたのがいずれの装置であるかを判定して基板の動作を変更する、という方式を実現したい場合がある。よって、あらかじめ基板が実装される装置を判定するためのピンを設けておくことで、基板が実装されている装置の判定を行っているものである（例えば、特許文献１、特許文献２、特許文献３、特許文献４、特許文献５参照）。
【先行技術文献】
【特許文献】
【０００３】
【特許文献１】特開平７−４４３３２号公報（図１）
【特許文献２】特開平１１−１２２９４７号公報（図１）
【特許文献３】特開平８−１３７７９０号公報（図１）
【特許文献４】特開２００５−３８４９２号公報（図２）
【特許文献５】特開平５−３５３６５号公報（図１）
【発明の概要】
【発明が解決しようとする課題】
【０００４】
従来のドーターボードは、接続する装置を判定するためのピンをあらかじめ通常のピンとは他に備える必要がありコストがかかるという問題点があった。
【０００５】
この発明は上記のような課題を解決するためになされたものであり、接続する装置を判定するためのピンを新たに作成する必要がなく低コストとなるドーターボードおよびドーターボード実装方法を提供することを目的とする。
【課題を解決するための手段】
【０００６】
この発明のドーターボードは、
マザーボードが搭載されるとともにマザー側コネクタを有する装置の前記マザー側コネクタに接続され、実装されるドーターボードにおいて、
前記マザー側コネクタに接続するドーター側コネクタと、
前記マザー側コネクタの複数のピンの内、信号を出力しない前記ピンに接続されている前記ドーター側コネクタのピンに接続されたプルアップ抵抗部と、
前記プルアップ抵抗部に接続され入力がＨ論理か否かを判定する装置判定部と、
前記装置判定部の判定にてＨ論理と判定されると動作する第１機能部と、
前記装置判定部の判定にてＨ論理以外と判定されると動作する第２機能部とを備えたものである。
【０００７】
また、この発明のドーターボードは、
マザーボードが搭載されるとともにマザー側コネクタを有する装置の前記マザー側コネクタに接続され、実装されるドーターボードにおいて、
前記マザー側コネクタに接続するドーター側コネクタと、
前記マザー側コネクタの複数のピンの内、信号を出力しない複数の前記ピンにそれぞれ接続されている前記ドーター側コネクタの複数のピンにそれぞれ接続されたプルアップ抵抗部と、
複数の前記プルアップ抵抗部に接続され複数の前記プルアップ抵抗部のいずれの入力がＨ論理か否かを判定する装置判定部と、
前記装置判定部の判定にて複数の前記プルアップ抵抗部のＨ論理か否かの組み合わせに応じて機能する複数の機能部とを備えたものである。
【０００８】
また、この発明のドーターボードは、
マザーボードが搭載されるとともにマザー側コネクタを有する装置の前記マザー側コネクタに接続され、実装されるドーターボードにおいて、
前記マザー側コネクタに接続するドーター側コネクタと、
前記マザー側コネクタの複数のピンの内、信号を出力しない前記ピンに接続されている前記ドーター側コネクタのピンに接続されたプルアップ抵抗部と、
前記プルアップ抵抗部に接続され入力がＨ論理か、Ｌ論理か、または、Ｈ論理とＬ論理との中間論理であるかを判定する装置判定部と、
前記装置判定部の判定にてＨ論理と判定されると動作する第１機能部と、
前記装置判定部の判定にてＬ論理と判定されると動作する第２機能部と、
前記装置判定部の判定にてＨ論理とＬ論理との中間論理と判定されると動作する第３機能部とを備えたものである。
【０００９】
また、この発明のドーターボード実装方法は、
マザーボードが搭載されるとともにマザー側コネクタを有する装置に、前記マザー側コネクタにドーター側コネクタに接続して機能するドーターボードを実装するドーターボード実装方法において、
前記装置は、前記マザー側コネクタの複数のピンの内、信号を出力しない前記ピンには何も接続されていない第１装置、または、プルダウン部が接続されている第２装置のいずれかであり、
前記ドーターボードは、前記マザー側コネクタの複数のピンの内、信号を出力しない前記ピンに接続されている前記ドーター側コネクタのピンに接続されたプルアップ抵抗部と、
前記プルアップ抵抗部に接続され入力がＨ論理か否かを判定する装置判定部と、
前記装置判定部の判定にてＨ論理と判定されると動作する第１機能部と、
前記装置判定部の判定にてＨ論理以外と判定されると動作する第２機能部とを備え、
前記ドーターボードの前記ドーター側コネクタを前記マザー側コネクタに接続して、前記装置判定部がＨ論理と判定すると接続された前記装置が前記第１装置であると判定して前記第１機能部を動作させ、または、
前記装置判定部がＨ論理以外であると判定すると接続された前記装置が前記第２装置であると判定して前記第２機能部を動作させるものである。
【発明の効果】
【００１０】
この発明のドーターボードおよびドーターボード実装方法は、上記のように構成され行われているため、
接続する装置を判定するためのピンを新たに作成する必要がなく低コストとなる。
【図面の簡単な説明】
【００１１】
【図１】この発明の実施の形態１のドーターボードを従来装置に実装した状態を示す図である。
【図２】この発明の実施の形態１のドーターボードを後継装置に実装した状態を示す図である。
【図３】この発明の実施の形態２のドーターボードを第２後継装置に実装した状態を示す図である。
【図４】この発明の実施の形態３のドーターボードを従来装置に実装した状態を示す図である。
【図５】この発明の実施の形態３のドーターボードを第１後継装置に実装した状態を示す図である。
【図６】この発明の実施の形態３のドーターボードを第２後継装置に実装した状態を示す図である。
【発明を実施するための形態】
【００１２】
実施の形態１．
以下、本願発明の実施の形態について説明する。図１は従来装置に対してドーターボードが実装された状態を示す図である。図２は後継装置に対してドーターボードが実装された状態を示す図である。図において、装置としての従来装置１０と、装置としての後継装置２０と、これら従来装置１０または後継装置２０に実装するドーターボード３０とである。尚、ここでは、従来装置１０が第１装置であり、後継装置２０が第２装置である。
【００１３】
従来装置１０は、マザーボードとしての従来側マザーボード１１と、従来側マザーボード１１とドーターボード３０とを接続するためのマザー側コネクタとしての従来側コネクタ１２とを備えている。また、後継装置２０は、マザーボードとしての後継側マザーボード２１と、後継側マザーボード２１とドーターボード３０とを接続するためのマザー側コネクタとしての後継側コネクタ２２とを備えている。
【００１４】
また、ドーターボード３０は、従来側マザーボード１１または後継側マザーボード２１に接続するための、従来側コネクタ１２および後継側コネクタ２２と接続可能なドーター側コネクタ３１と、ドーター側コネクタ３１にプルアップ抵抗部３３を介して接続されている装置判定部３２とを備えている。よって、１種類のドーター側コネクタ３１が接続される従来側コネクタ１２と、後継側コネクタ２２とは同一形状にて形成されている。
【００１５】
従来側コネクタ１２の複数のピンの内、信号を出力しないフリー線１３に接続されているピンが存在する。そして、当該ピンは、ドーター側コネクタ３１のピンに接続されている。そして、このドーター側コネクタ３１のピンにプルアップ抵抗部３３が接続されている。また、装置判定部３２は、プルアップ抵抗部３３を介した入力がＨ論理か否かを判定するものであり、電圧を比較可能なコンパレータを備えている。そして、ドーターボード３０には、装置判定部３２の判定にてＨ論理と判定されると動作する第１機能部と、装置判定部３２の判定にてＨ論理以外と判定されると動作する第２機能部とを有している。
【００１６】
そして、後継装置２０は、従来装置１０より後に設計され、製造されるため、後継側コネクタ２２は、従来側コネクタ１２と同一形状にて形成することが可能である。さらに、従来側コネクタ１２のピンと同一位置に、信号を出力しないピンを設定することが可能である。よって、後継側コネクタ２２にドーター側コネクタ３１が接続されると、後継側コネクタ２２の複数のピンの内、従来側コネクタ１２と同一位置の、信号を出力しないピンに接続されたドーター側コネクタ３１のピンにプルアップ抵抗部３３が接続されることとなる。
【００１７】
さらに、後継装置２０は、後継側コネクタ２２の複数のピンの内、先に示した信号を出力しないピンにプルダウン部としての抵抗無プルダウン部２３が接続されている。尚、抵抗無プルダウン部２３とは、フリー線が接地され形成されているものである。以下の実施の形態においても、抵抗無プルダウン部の構成については、同様の構成にて形成されているものであり、その説明は適宜省略する。
【００１８】
第１機能部および第２機能部とは、図示しないものの、第１機能部は従来装置１０にドーターボード３０が実装された場合に処理可能な部分であり、第２機能部は後継装置２０にドーターボード３０が実装された場合に処理可能な部分である。このようにドーターボード３０は実装される装置毎に異なる処理を行うことができるものであり、具体的には、はハードウエアおよびファームウエアがそれぞれ設定されているもの、または、ハードウエアおよびファームウエアの一部が重なって使用されるものなどが考えられる。
【００１９】
このように、従来装置１０より後継装置２０は後に設計されているため、その構成を適宜設定できるものである。これに対し、従来装置１０は、既に形成されているものである。そして、一般的に、従来側コネクタ１２の複数のピンの内、信号を出力しないピンが存在する。よって、そのピンにはフリー線１３（どこの部分にも接続されていない線）が存在する。本発明においては、この部分を利用している。尚、プルアップ抵抗部３３への電源は、従来側コネクタ１２または後継側コネクタ２２から供給される場合、または、ドーターボード３０自信が供給する場合などが考えられる。また、これらのことは以下の実施の形態においても同様であるためその説明は適宜省略する。
【００２０】
次に上記のように構成された実施の形態１のドーターボード実装方法について説明する。まず、図１に示すように、従来装置１０にドーターボード３０を実装した場合、従来装置１０の従来側コネクタ１２と、ドーターボード３０のドーター側コネクタ３１とが接続される。そして、プルアップ抵抗部３３に接続されている従来装置１０の従来側コネクタ１２のピンにはフリー線１３が接続されている。このため、装置判定部３２は、プルアップ抵抗部３３を介して入力された信号がＨ論理であると判定する。よって、この判定により、接続された装置は従来装置１０であると判定され第１機能部が動作する。これにより、ドーターボード３０が従来装置１０に正常に実装される。
【００２１】
これに対し、図２に示すように、後継装置２０にドーターボード３０を実装した場合、後継装置２０の後継側コネクタ２２と、ドーターボード３０のドーター側コネクタ３１とが接続される。そして、プルアップ抵抗部３３に接続されている後継装置２０の後継側コネクタ２２のピンには抵抗無プルダウン部２３が接続されている。このため、装置判定部３２は、プルアップ抵抗部３３を介した入力の信号がＨ論理以外のＬ論理であると判定する。よって、この判定により、接続された装置は後継装置２０であると判定され第２機能部が動作する。これにより、ドーターボード３０が後継装置２０に正常に実装される。
【００２２】
上記のように構成された実施の形態１のドーターボードおよびドーターボード実装方法によれば、判定のための新たなピンなどを設けること無く、ドーターボードの接続により得られる信号がＨ論理またはＨ論理以外のＬ論理のいずれかを判定することのみにて、従来装置の接続であるのか、後継装置の接続であるのかのいずれかの判定を行うことができ、ドーターボードにあらかじめ設定されているそれぞれに対応可能な機能を動作させることができる。
【００２３】
実施の形態２．
上記実施の形態１においては、後継装置のプルダウン部を抵抗無プルダウン部にて形成する例を示したが、これに限られることはなく、後継装置のプルダウン部としてプルダウン抵抗部にて形成することも可能であり、本実施の形態２においては、この場合について説明する。
【００２４】
図３はこの発明の実施の形態２におけるドーターボードを第２後継装置に実装した状態を示す図である。図において、上記実施の形態１と同様の部分は同一符号を付して説明を省略する。上記実施の形態１の従来装置１０および後継装置２０とは別の種類である装置としての第２後継装置４０の場合について示す。第２後継装置４０は、マザーボードとしての第２後継側マザーボード４１と、上記実施の形態１と同様にドーターボード３０のドーター側コネクタ３１と接続するためのマザー側コネクタとしての第２後継側コネクタ４２とを備えている。さらに、第２後継装置４０は、第２後継側コネクタ４２の複数のピンの内、従来側コネクタ１２と同一位置の、信号を出力しないピンにプルダウン部としてのプルダウン抵抗部４３が接続されている。
【００２５】
次に上記のように構成された実施の形態２のドーターボード実装方法について説明する。図３に示すように、第２後継装置４０にドーターボード３０を実装した場合、第２後継装置４０の第２後継側コネクタ４２と、ドーターボード３０のドーター側コネクタ３１とが接続される。そして、プルアップ抵抗部３３に接続されている第２後継装置４０の第２後継側コネクタ４２のピンにはプルダウン抵抗部４３が接続されている。このため、装置判定部３２は、プルアップ抵抗部３３を介した入力の信号がＨ論理以外のＨ論理とＬ論理との中間論理であると判定する。よって、この判定により、接続された装置は第２後継装置４０であると判定され第２機能部が動作する。これにより、ドーターボード３０が第２後継装置４０に正常に実装される。
【００２６】
上記のように構成された実施の形態２のドーターボードおよびドーターボード実装方法によれば、上記実施の形態１と同様の効果を奏するのはもちろんのこと、ドーターボードの接続により得られる信号がＨ論理またはＨ論理以外のＨ論理とＬ論理との間の中間論理のいずれかを判定することのみにて、従来装置の接続であるのか、後継装置の接続であるのかのいずれかの判定を行うことができ、ドーターボードにあらかじめ設定されているそれぞれに対応可能な機能を動作させることができる。
【００２７】
尚、本実施の形態２においては、２種類の後継装置に対して同一の第２機能部が動作する例を示したが、これに限られることはなく、ドーターボードに第１機能部および第２機能部の他に、第３機能部を備えるようにした場合、Ｈ論理と判定すると第１機能部を動作、Ｌ論理と判定すると第２機能部を動作、中間論理と判定すると第３機能部を動作させるように設定することが可能である。このようにすれば、異なる機能を必要とする２種類の後継装置に対応することが可能である。
【００２８】
また、本実施の形態２においては、プルダウン部として、プルダウン抵抗部を構成する例を示したが、以下の実施の形態においても同様に構成することが可能であり、同様の効果を奏することができる。
【００２９】
実施の形態３．
上記各実施の形態においては、１種類の後継装置に対応する例を示したが、これに限られることはなく、複数種類の後継装置に対応する場合について説明する。本実施の形態３においては、２種類の後継装置の例について説明するが、これに限られることはなく、３種類以上においても同様に対応することができる。
【００３０】
図４はこの発明の実施の形態３のドーターボードを従来装置に実装した状態を示す図である。図５はこの発明の実施の形態３のドーターボードを第１後継装置に実装した状態を示す図である。図６はこの発明の実施の形態３のドーターボードを第２後継装置に実装した状態を示す図である。図において、装置としての従来装置５０と、装置としての第１後継装置６０および第２後継装置７０と、これら従来装置５０または第１後継装置６０または第２後継装置７０に実装するドーターボード８０とである。
【００３１】
従来装置５０は、マザーボードとしての従来側マザーボード５１と、従来側マザーボード５１とドーターボード８０とを接続するためのマザー側コネクタとしての従来側コネクタ５２とを備えている。また、第１後継装置６０は、マザーボードとしての第１後継側マザーボード６１と、第１後継側マザーボード６１とドーターボード８０とを接続するためのマザー側コネクタとしての第１後継側コネクタ６２とを備えている。また、第２後継装置７０は、第１後継装置６０と同様に、第２後継側マザーボード７１と、第２後継側コネクタ７２とを備えている。
【００３２】
また、ドーターボード８０は、従来側マザーボード５１または第１後継側マザーボード６１または第２後継側マザーボード７１と接続するための、従来側コネクタ５２および第１後継側コネクタ６２および第２後継側コネクタ７２と接続可能なドーター側コネクタ８１と、ドーター側コネクタ８１に第１プルアップ抵抗部８３および第２プルアップ抵抗部８４を介して接続されている装置判定部８２とを備えている。よって、１種類のドーター側コネクタ８１が接続される従来側コネクタ５２と、第１後継側コネクタ６２と、第２後継側コネクタ７２とは同一形状にて形成されている。
【００３３】
従来側コネクタ５２の複数のピンの内、信号を出力しない第１フリー線５３および第２フリー線５４に接続されているそれぞれのピンが存在する。そして、当該各ピンには、ドーター側コネクタ８１のそれぞれのピンが接続されている。そして、このドーター側コネクタ８１の各ピンに第１プルアップ抵抗部８３および第２プルアップ抵抗部８４がそれぞれ接続されている。また、装置判定部８２は、第１プルアップ抵抗部８３および第２プルアップ抵抗部８４を介したいずれの入力がＨ論理か否かを判定するものであり、電圧を比較可能なコンパレータを備えている。
【００３４】
そして、ドーターボード８０には、装置判定部８２の判定にて第１プルアップ抵抗部８３および第２プルアップ抵抗部８４を介した入力がＨ論理と判定されると動作する第１機能部と、装置判定部３２の判定にて第１プルアップ抵抗部８３を介した入力がＨ論理および第２プルアップ抵抗部８４を介した入力がＨ論理以外と判定されると動作する第２機能部と、装置判定部３２の判定にて第１プルアップ抵抗部８３を介した入力がＨ論理以外および第２プルアップ抵抗部８４を介した入力がＨ論理と判定されると動作する第３機能部とを有している。
【００３５】
そして、第１後継装置６０は、従来装置５０より後に設計され、製造されるため、第１後継側コネクタ６２は、従来側コネクタ５２と同一形状にて形成することが可能であり、さらに、従来側コネクタ５２のピンと同一位置に、信号を出力しないピンを設定することが可能である。よって、第１後継側コネクタ６２にドーター側コネクタ８１が接続されると、第１後継側コネクタ６２の複数のピンの内、従来側コネクタ５２と同一位置の、信号を出力しない複数のピンが存在する。
【００３６】
そして、当該各ピンに接続されたドーター側コネクタ８１の各ピンに第１プルアップ抵抗部８３および第２プルアップ抵抗部８４がそれぞれ接続されることとなる。さらに、第１後継装置６０は、第１後継側コネクタ６２の複数のピンの内、先に示した信号を出力しない複数のピンの一つに第１フリー線６３が接続され、他の一つにプルダウン部としての第１抵抗無プルダウン部６４が接続されている。
【００３７】
そして、第２後継装置７０は、従来装置５０より後に設計され、製造されるため、第２後継側コネクタ７２は、従来側コネクタ５２と同一形状にて形成することが可能であり、さらに、従来側コネクタ５２のピンと同一位置に、信号を出力しないピンを設定することが可能である。よって、第２後継側コネクタ７２にドーター側コネクタ８１が接続されると、第２後継側コネクタ７２の複数のピンの内、従来側コネクタ５２と同一位置の、信号を出力しない複数のピンが存在する。
【００３８】
そして、当該各ピンに接続されたドーター側コネクタ８１の各ピンに第１プルアップ抵抗部８３および第２プルアップ抵抗部８４がそれぞれ接続されることとなる。さらに、第２後継装置７０は、第２後継側コネクタ７２の複数のピンの内、先に示した信号を出力しない複数のピンの一つにプルダウン部としての第２抵抗無プルダウン部７３が接続され、他の一つに第２フリー線７４が接続されている。
【００３９】
第１機能部および第２機能部および第３機能部とは、図示しないものの、第１機能部は従来装置５０にドーターボード８０が実装された場合に処理可能な部分であり、第２機能部は第１後継装置６０にドーターボード８０が実装された場合に処理可能な部分であり、第３機能部は第２後継装置７０にドーターボード８０が実装された場合に処理可能な部分である。このようにドーターボード８０は、実装される装置毎に異なる処理を行うことができるものであり、具体的には、ハードウエアおよびファームウエアがそれぞれ設定されているもの、または、ハードウエアおよびファームウエアの一部が重なって使用されるものなどが考えられる。
【００４０】
次に上記のように構成された実施の形態３のドーターボード実装方法について説明する。まず、図４に示すように、従来装置５０にドーターボード８０を実装した場合、従来装置５０の従来側コネクタ５２と、ドーターボード８０のドーター側コネクタ８１とが接続される。そして、第１プルアップ抵抗部８３および第２プルアップ抵抗部８４に接続されている従来装置５０の従来側コネクタ５２のピンには第１フリー線５３および第２フリー線５４が接続されている。このため、装置判定部８２は、第１プルアップ抵抗部８３および第２プルアップ抵抗部８４を介した入力の信号がそれぞれＨ論理であると判定する。よって、これら判定により、接続された装置は従来装置５０であると判定され第１機能部が動作する。これにより、ドーターボード８０が従来装置５０に正常に実装される。
【００４１】
これに対し、図５に示すように、第１後継装置６０にドーターボード８０を実装した場合、第１後継装置６０の第１後継側コネクタ６２と、ドーターボード８０のドーター側コネクタ８１とが接続される。そして、第１プルアップ抵抗部８３に接続されている第１後継装置６０の第１後継側コネクタ６２のピンには第１フリー線６３が接続されている。このため、装置判定部８２は、第１プルアップ抵抗部８３を介した入力の信号がＨ論理であると判定する。
【００４２】
また、第２プルアップ抵抗部８４に接続されている第１後継装置６０の第１後継側コネクタ６２のピンには第１抵抗無プルダウン部６４が接続されている。このため、装置判定部８２は、第２プルアップ抵抗部８４を介した入力の信号がＨ論理以外のＬ論理であると判定する。よって、これら判定により、接続された装置は第１後継装置６０であると判定され第２機能部が動作する。これにより、ドーターボード８０が第１後継装置６０に正常に実装される。
【００４３】
さらに、図６に示すように、第２後継装置７０にドーターボード８０を実装した場合、第２後継装置７０の第２後継側コネクタ７２と、ドーターボード８０のドーター側コネクタ８１とが接続される。そして、第１プルアップ抵抗部８３に接続されている第２後継装置７０の第２後継側コネクタ７２のピンには第２抵抗無プルダウン部７３が接続されている。このため、装置判定部８２は、第１プルアップ抵抗部８３を介した入力の信号がＨ論理以外のＬ論理であると判定する。
【００４４】
また、第２プルアップ抵抗部８４に接続されている第２後継装置７０の第２後継側コネクタ７２のピンには第２フリー線７４が接続されている。このため、装置判定部８２は、第２プルアップ抵抗部８４を介した入力の信号がＨ論理であると判定する。よって、これら判定により、接続された装置は第２後継装置７０であると判定され第３機能部が動作する。これにより、ドーターボード８０が第２後継装置７０に正常に実装される。
【００４５】
上記のように構成された実施の形態３のドーターボードおよびドーターボード実装方法によれば、上記各実施の形態と同様の効果を奏するのはもちろんのこと、ドーターボードの接続により得られる信号がＨ論理またはＨ論理以外のＬ論理のいずれかを判定することのみにて、従来装置の接続であるのか、２種類の後継装置の接続であるのかのいずれかの判定を行うことができ、ドーターボードにあらかじめ設定されているそれぞれに対応可能な機能を動作させることができる。
【００４６】
尚、本発明は、その発明の範囲内において、各実施の形態を自由に組み合わせたり、各実施の形態を適宜、変形、省略することが可能である。
【符号の説明】
【００４７】
１０  従来装置、１１  従来側マザーボート、１２  従来側コネクタ、
１３  フリー線、２０  後継装置、２１  後継側マザーボード、２２  後継側コネクタ、２３  抵抗無プルダウン部、３０  ドーターボード、３１  ドーター側コネクタ、
３２  装置判定部、３３  プルアップ抵抗部、４０  第２後継装置、
４１  第２後継側マザーボード、４２  第２後継側コネクタ、４３  プルダウン抵抗部、５０  従来装置、５１  従来側マザーボート、５２  従来側コネクタ、
５３  第１フリー線、５４  第２フリー線、６０  第１後継装置、
６１  第１後継側マザーボード、６２  第１後継側コネクタ、６３  第１フリー線、
６４  第１抵抗無プルダウン部、７０  第２後継装置、７１  第２後継側マザーボード、７２  第２後継側コネクタ、７３  第２抵抗無プルダウン部、７４  第２フリー線、
８０  ドーターボード、８１  ドーター側コネクタ、８２  装置判定部、
８３  第１プルアップ抵抗部、８４  第２プルアップ抵抗部。
【図１】
2015153332.tif 000003
【図２】
2015153332.tif 000004
【図３】
2015153332.tif 000005
【図４】
2015153332.tif 000006
【図５】
2015153332.tif 000007
【図６】
2015153332.tif 000008